(57)【要約】【課題】印刷に対して実質的に影響を与えることなく、より適切な個体識別管理を行うことが可能な電子写真感光体およびその製造方法、並びに該電子写真感光体を備える画像形成装置を提供する。【解決手段】本発明に係る電子写真感光体２は、筒状の基体２０と、該基体２０の外周面上に形成される感光層２１１とを有するものである。基体２０は、その内周部に該基体２０の個体識別コード２０ｂを有している。本発明に係る電子写真感光体２の製造方法は、筒状の基体２０の内周部に個体識別コード２０ｂを形成するコード形成工程と、コード形成工程を経た基体２０の外周面上に感光層２１１を形成する感光層形成工程と、を含む。本発明に係る画像形成装置は、上述の電子写真感光体２を備えている。【選択図】図２
2008078783.tif 000002
【特許請求の範囲】
【請求項１】
筒状で且つその内周部に固体識別コードを有する基体と、
前記基体の外周面上に形成される感光層と、を有することを特徴とする、電子写真感光体。
【請求項２】
前記個体識別コードは、レーザ加工により形成されている、請求項１に記載の電子写真感光体。
【請求項３】
前記基体は、その軸方向の端部にインロー部を有する、請求項１に記載の電子写真感光体。
【請求項４】
前記個体識別コードは、前記インロー部に位置する、請求項３に記載の電子写真感光体。
【請求項５】
前記個体識別コードは、光センサにより検知されるセンサ検知部と、視覚により識別される視覚識別部とを有する、請求項１に記載の電子写真感光体。
【請求項６】
前記個体識別コードは、バーコードを含むセンサ検知部を有する、請求項１に記載の電子写真感光体。
【請求項７】
前記バーコードを構成する複数のバーは、前記基体の軸方向に配列している、請求項６に記載の電子写真感光体。
【請求項８】
前記基体は、アルミニウムおよび鉄の少なくとも一方を主として含む金属または合金からなる、請求項１に記載の電子写真感光体。
【請求項９】
前記基体の内周面における前記固体識別コードの存在領域には、酸化クロムと、酸化鉄と、酸化マンガンとからなる群より選択される少なくとも一つの酸化物が存在する、請求項１に記載の電子写真感光体。
【請求項１０】
筒状の基体の内周部に個体識別コードを形成するコード形成工程と、前記コード形成工程を経た前記基体の外周面上に感光層を形成する感光層形成工程と、を含むことを特徴とする、電子写真感光体の製造方法。
【請求項１１】
前記コード形成工程を経た前記基体の前記外周面を鏡面化する鏡面加工工程を更に含む、請求項１０に記載の電子写真感光体の製造方法。
【請求項１２】
請求項１に記載の電子写真感光体を備えることを特徴とする、画像形成装置。
【発明の詳細な説明】
【技術分野】
【０００１】
本発明は、筒状基体の外周面上に感光層を形成してなる電子写真感光体およびその製造方法、並びに該電子写真感光体を備える画像形成装置に関するものである。
【背景技術】
【０００２】
電子写真方式を採用した画像形成装置では、一般的に円筒状の基体の外周面上に感光層を含む成膜層が形成された電子写真感光体が採用されている。このような構成の電子写真感光体では、基体の状態および成膜時の条件によって成膜層の膜質に違いが生じるため、電子写真感光体ごとに感光層の特性が異なる場合がある。このような場合、これらの電子写真感光体を搭載する画像形成装置の画像特性に影響を与えてしまう。そこで、成膜層の膜質の違いに起因する画像特性への影響を抑制すべく、各電子写真感光体の感光層の特性を測定し、その測定結果に基づいて画像形成の条件を調整している。【０００３】
しかしながら、画像形成条件の調整を適切に行うには、各電子写真感光体を検査し、その検査結果を画像形成装置に反映すべく管理する必要がある。このような管理を行う方法としては、例えば電子写真感光体を構成する円筒状基体の外周部に管理用の固体識別コードを形成する方法がある。電子写真感光体の感光層がアモルファスシリコンを主成分とする場合には、エネルギーバンドに起因して光の反射が生じるため、該感光層の下に位置する個体識別コードを認識することが困難となってしまう。加えて、このような構成では、円筒状基体の外周面上に形成される感光層に対して実質的な影響を与えてしまう場合がある。【０００４】
そこで、感光層の特性を適切に管理すべく、感光層を成膜した電子写真感光体の内周面上に個体識別用バーコードが印刷されたラベルを貼り付ける技術が開発され、例えば特許文献１に開示されている。
【特許文献１】特開２００５−１２８３６５号公報
【発明の開示】
【発明が解決しようとする課題】
【０００５】
しかしながら、特許文献１に開示の技術では、電子写真感光体における基体の内周面上に接着剤を介してラベルを貼り付けているため、例えばラベルを貼り付けた基体を洗浄液中あるいは真空中に入れると、接着剤の接着成分が溶出し、結果としてラベルが剥がれてしまう場合があった。つまり、特許文献１の技術では、感光層の形成前の基体に対してラベルを貼り付けると、基体を洗浄液で洗浄する場合あるいは感光層を形成すべく真空中に配置する場合に、接着剤の接着成分が溶出して感光層に混入あるいは付着し、ひいては印刷に影響を与えてしまう場合があった。また、特許文献１の技術では、接着剤の接着成分が溶出することによりラベルが剥がれてしまい、個体識別管理が実質的に困難となる場合もあった。【０００６】
本発明はこのような事情のもとで考え出されたものであって、印刷に対して実質的に影響を与えることなく、より適切な個体識別管理を行うことが可能な電子写真感光体およびその製造方法、並びに該電子写真感光体を備える画像形成装置を提供することを、目的とする。
【課題を解決するための手段】
【０００７】
本発明の一つの観点によれば、電子写真感光体は、基体と感光層とを有する。基体は、筒状で且つその内周部に固体識別コードを有する。感光層は、基体の外周面上にある。【０００８】
本発明の他の観点によれば、電子写真感光体の製造方法は、コード形成工程と感光層形成工程とを含む。コード形成工程では、筒状の基体の内周部に個体識別コードを形成する。感光層形成工程では、コード形成工程を経た基体の外周面上に感光層を形成する。【０００９】
本発明の更に他の観点によれば、画像形成装置は、上記の電子写真感光体を備える。
【発明の効果】
【００１０】
本発明によれば、電子写真感光体における筒状基体の内周部自体に個体識別コードが存在している。そのため、本発明では、例えば接着剤を介して基体の内周面上にラベルを貼り付けるもの、あるいは、基体の内周面上にインクを塗布して印字するもののように、基体とは別体の個体識別用部材を付加することなく電子写真感光体の固体識別を行うことができる。したがって、本発明では、接着剤の接着成分あるいはインクの構成成分が溶出し、感光層に混入あるいは付着することに起因して、印刷に影響を与えることが実質的にない。加えて、本発明では、接着剤の接着成分が溶出することに起因してラベルが剥がれたり、インクの構成成分が溶出したりすることに起因して固体識別が困難になることも実質的にない。
【発明を実施するための最良の形態】
【００１１】
図１に示すように、本発明の実施形態に係る画像形成装置１は、電子写真感光体２と、帯電装置３と、露光装置４と、現像装置５と、転写装置６と、定着装置７と、クリーニング装置８と、除電装置９とを備える。【００１２】
電子写真感光体２は、画像信号に基づいた静電潜像およびトナー像が形成されるものであり、図１に示す矢印Ａ方向に回転可能とされている。【００１３】
帯電装置３は、電子写真感光体２の光導電層の種類に応じて、電子写真感光体２の表面を正極性または負極性に帯電させる機能を担うものである。電子写真感光体２の帯電電位は、通常、２００Ｖ以上１０００Ｖ以下とされる。【００１４】
露光装置４は、電子写真感光体２の表面に静電潜像を形成する機能を担うものであり、所定波長の光が出射可能な構成を有している。露光装置４は、画像信号に応じて電子写真感光体２に光を照射することにより、光照射部分の電位を減衰させて電子写真感光体２に静電潜像を形成する。【００１５】
現像装置５は、電子写真感光体２の静電潜像を現像材Ｔにより現像してトナー像を形成する機能を担うものである。現像装置５は、現像剤Ｔを収容するケース５０と、現像スリーブ５１とを備えている。【００１６】
現像剤Ｔは、電子写真感光体２の表面に形成されるトナー像を構成するものであり、現像装置５において摩擦帯電させられる。現像剤Ｔとしては、例えば磁性キャリアおよび絶縁性トナーを含んでなる二成分系現像剤と、磁性トナーを含んでなる一成分系現像剤とが挙げられる。【００１７】
現像スリーブ５１は、電子写真感光体２と現像スリーブ５１との間の現像領域に現像剤Ｔを搬送する機能を担うものである。【００１８】
本実施形態における現像装置５では、現像スリーブ５１により摩擦帯電した現像剤Ｔが一定の穂長に調整された磁気ブラシの形で搬送され、搬送された現像剤Ｔによって静電潜像が現像されてトナー像が形成される。トナー像の帯電極性は、正規現像の場合において電子写真感光体２の帯電極性と逆極性とされ、反転現像の場合において電子写真感光体２の帯電極性と同極性とされる。【００１９】
転写装置６は、電子写真感光体２と転写装置６との間の転写領域に給紙された記録紙Ｐにトナー像を転写する機能を担うものであり、転写用チャージャ６０および分離用チャージヤ６１を備えている。転写装置６では、転写用チャージャ６０において記録紙Ｐの背面（非記録面）がトナー像とは逆極性に帯電され、この帯電電荷とトナー像との静電引力によって、記録紙Ｐ上にトナー像が転写される。転写装置６ではさらに、トナー像の転写と同時的に、分離用チャージャ６１において記録紙Ｐの背面が交流帯電させられ、記録紙Ｐが電子写真感光体２の表面から速やかに分離させられる。【００２０】
転写装置６としては、電子写真感光体２の回転に従動し、且つ、電子写真感光体２とは微小間隙（例えば０．５ｍｍ以下）を介して配置された転写ローラを用いてもよい。転写ローラは、例えば電子写真感光体２上のトナー像を記録紙Ｐ上に引きつけるような転写電圧を直流電源によって印加するように構成される。このような転写ローラを用いる場合には、分離用チャージャ６１のような転写材分離装置は省略される。【００２１】
定着装置７は、記録紙Ｐに転写されたトナー像を定着させる機能を担うものであり、一対の定着ローラ７０，７１を備えている。定着装置７では、一対の定着ローラ７０，７１の間に記録紙Ｐを通過させることにより、熱および圧力などを作用させて記録紙Ｐにトナー像を定着させる。【００２２】
クリーニング装置８は、電子写真感光体２の表面に残存する現像剤Ｔを除去する機能を担うものであり、クリーニングブレード８０を備えている。クリーニング装置８では、クリーニングブレード８０によって、電子写真感光体２の表面に残存する現像剤Ｔが掻き取られて回収される。クリーニング装置８において回収された現像剤Ｔは、現像装置５のケース５０内にリサイクルして再使用してもよい。【００２３】
除電装置９は、電子写真感光体２に残留する電荷を除去する機能を担うものであり、所定波長の光が出射可能な構成を有している。【００２４】
ここで、画像形成装置１に採用される、本発明の実施形態に係る電子写真感光体２について詳細に説明する。【００２５】
電子写真感光体２は、基体２０と、成膜層２１とを有している。【００２６】
基体２０は、電子写真感光体２の骨格をなすものであり、インロー部２０ａおよび固体識別コード２０ｂを有している。ここで、個体識別とは、複数ある電子写真感光体の個々を識別することを意味する。本実施形態において基体２０の形状は円筒状であるが、これには限られず、角筒状あるいは楕円筒状でもよい。【００２７】
インロー部２０ａは、基体２０の軸方向における中央部の内径より大きい内径に設定される部位であり、図示しない回転駆動機構（例えばフランジ）が嵌合可能な構成とされている。そして、図示しない回転駆動機構に基体２０のインロー部２０ａを嵌合させることにより、電子写真感光体２に対して矢印Ａ方向への回転駆動力を適切に伝達させることができる。【００２８】
固体識別コード２０ｂは、個々の基体２０（ひいては電子写真感光体２）を識別するのに寄与するものであり、本実施形態ではインロー部２０ａにおける内周面２０ｃに形成されている。【００２９】
本実施形態における固体識別コード２０ｂは、センサ検知部２０ｂａおよび視覚識別部２０ｂｂを含んで構成されている。センサ検知部２０ｂａは、光センサにより検知可能なコードからなる部位である。光センサとしては、例えばＣＭＯＳセンサと、ＣＣＤセンサと、フォトダイオードとが挙げられる。光センサにより検知可能なコードとしては、１次元コード（バーコード）および２次元コードなどが挙げられ、中でも単位形成領域における情報量の多い２次元コードは相対的に狭い領域で必要情報の記録ができるため、該コードを読み取る際における基体２０の形状の影響を受け難く、読み取り精度を高めるうえで好適である。視覚識別部２０ｂｂは、視覚により識別可能なコードからなる部位である。視覚により識別可能なコードとしては、例えば文字と、数字と、記号とが挙げられる。【００３０】
また、本実施形態における固体識別コード２０ｂは、センサ検知部２０ｂａとしてのバーコード（図面上１つ）と、視覚識別部２０ｂｂとしての文字数字列（図面上２つ）とからなり、バーコードを構成する複数のバーは基体２０の軸方向に沿って配列している。固体識別コード２０ｂの形成方法としては、例えばレーザ加工と、切削加工と、押圧加工と、エッチング加工とが挙げられ、中でも基体２０に作用する押圧力を低減する観点および狭小部位における加工性の観点からレーザ加工が好ましい。このようなレーザ加工としては、例えばＹＡＧレーザによる加工と、ＣＯ２レーザによる加工と、ＹＶ０４レーザによる加工とが挙げられる。【００３１】
基体２０は、少なくとも表面に導電性を有するものとされ、その全体を導電性材料により形成したものでもよいし、絶縁性材料により形成した筒状体の表面に導電性材料からなる膜を形成したものでもよい。基体２０を構成する導電性材料としては、例えば金属材料と、該金属材料を含む合金材料と、透明導電性材料とが挙げられる。金属材料としては、例えばアルミニウム（Ａｌ）と、ステンレススチール（ＳＵＳ）と、亜鉛（Ｚｎ）と、銅（Ｃｕ）と、鉄（Ｆｅ）と、チタン（Ｔｉ）と、ニッケル（Ｎｉ）と、クロム（Ｃｒ）と、タンタル（Ｔａ）と、スズ（Ｓｎ）と、金（Ａｕ）と、銀（Ａｇ）とが挙げられる。透明導電性材料としては、例えばＩＴＯ（Indium Tin Oxide）と、ＳｎＯ２とが挙げられる。これらの基体２０を構成する導電性材料の中でも、シリコン原子を母体とする非単結晶材料（ａ−Ｓｉ系材料）により形成される成膜層２１との密着性の観点からＡｌ合金材料が好ましく、機械的強度を高めて基体２０の変形を抑制する観点からＦｅ合金材料が好ましい。また、基体２０がＡｌおよびＦｅの少なくとも一方を主として含む金属材料または合金材料からなる場合、基体２０の外周面２０ｄ上に後述する光導電層２１１を形成する際などに加わる熱に起因する該基体２０（ひいては個体識別コード２０ｂ）の変形を充分に抑制することができるので、個体識別コード２０ｂの識別精度の低減を抑制し、より適切な個体識別管理を行ううえで好適である。【００３２】
成膜層２１は、光導電層２１１および表面層２１２を含んでなり、基体２０の外周面２０ｄ上に形成されている。【００３３】
光導電層２１１は、露光装置４から照射される光によって電子が励起され、自由電子あるいは正孔などのキャリアを発生させる部位である。本実施形態における光導電層２１１は、基体２０の外周面２０ｄ上に直接積層形成されているが、電荷注入阻止層あるいは長波長光吸収層などを介して基体２０の外周面２０ｄ上に積層形成するようにしてもよい。光導電層２１１の構成材料としては、例えばａ−Ｓｉ系材料と、ａ−Ｓｅ、Ｓｅ−Ｔｅ、およびＡｓ２Ｓｅ３などのａ−Ｓｅ系材料と、ＺｎＯ、ＣｄＳ、およびＣｄＳｅなどの周期律表第１２族元素と周期律表第１６族元素との化合物と、これらの材料からなる粒子物を樹脂中に分散させた材料と、ＯＰＣ系などの感光体材料とが挙げられる。これら光導電層２１１の構成材料の中でも、電子写真特性（高光感度特性、高速応答性、繰り返し安定性、耐熱性、および耐久性など）の観点、および、表面層２１２をａ−ＳｉＣ：Ｈにより形成する場合における表面層２１２との整合性の観点から、ａ−Ｓｉ系材料、あるいは、ａ−Ｓｉ系材料にＣ、Ｎ、Ｏなどを加えたａ−Ｓｉ系の合金材料を用いるのが好ましい。なお、ａ−Ｓｉ系材料としては、例えばａ−Ｓｉと、ａ−ＳｉＣと、ａ−ＳｉＮと、ａ−ＳｉＯと、ａ−ＳｉＧｅと、ａ−ＳｉＣＮと、ａ−ＳｉＮＯと、ａ−ＳｉＣＯと、ａ−ＳｉＣＮＯとを挙げることができる。また、基体２０の軸方向（矢印ＢＣ方向）における光導電層２１１の膜厚差は、中央の±３％以内に設定するのが好ましい。このような構成によると、電子写真感光体２の耐圧性（リーク性）および外径寸法の差を充分に低減することができるため、軸方向（矢印ＢＣ方向）における画像ムラを充分に抑制することができる。【００３４】
表面層２１２は、電子写真感光体２における電子写真特性（帯電能、光感度、電位特性、および画像特性など）、ならびに耐久性（耐磨耗性、耐刷性、耐環境性、および耐薬品性など）を向上させる機能を担うものであり、光導電層２１１上に積層形成されている。表面層２２の構成材料としては、例えばａ−Ｓｉ系材料が挙げられ、中でも硬度および光透過度の観点から水素化アモルファスシリコンカーバイトが好ましい。【００３５】
本実施形態に係る電子写真感光体２は、基体２０の内周面２０ｃ自体に個体識別コード２０ｂが存在している。そのため、電子写真感光体２では、例えば接着剤を介して基体２０の内周面２０ｃ上にラベルを貼り付けるもの、あるいは、基体２０の内周面２０ｃ上にインクを塗布して印字するもののように、基体２０とは別体の個体識別用部材（ラベルまたはインクなど）を付加することなく電子写真感光体２の固体識別を行うことができる。したがって、電子写真感光体２では、接着剤の接着成分あるいはインクの構成成分が溶出し、成膜層２１に混入あるいは付着することに起因して、印刷に影響を与えることが実質的にない。加えて、電子写真感光体２では、接着剤の接着成分が溶出することに起因してラベルが剥がれたり、インクの構成成分が溶出したりすることに起因して固体識別が困難になることも実質的にない。【００３６】
また、電子写真感光体２における個体識別コード２０ｂは、基体２０の外周面２０ｄではなく、基体２０の内周面２０ｃに形成されている。したがって、電子写真感光体２では、固体識別コード２０ｂの識別に対して成膜層２１の影響を実質的に受けないのに加え、成膜層２１が形成される基体２０の外周面２０ｄの表面状態に対しても実質的に影響を与えずに済む。【００３７】
以上のように、電子写真感光体２では、印刷に対して実質的に影響を与えることなく、より適切な個体識別管理を行うことができるのである。【００３８】
電子写真感光体２における個体識別コード２０ｂはレーザ加工により形成されている。そのため、電子写真感光体２では、押圧加工などのように相対的に大きい押圧力を基体２０に作用させる加工に比べて、基体２０の形状に与える影響を低減することができる。したがって、電子写真感光体２では、個体識別コード２０ｂを基体２０の内周面２０ｃに直接形成しても、印刷に対して与える影響をより小さいものとすることができる。加えて、レーザ加工は、光ファイバなどを利用することによって、例えば内径が６０ｍｍ程度の円筒体内のように、比較的狭い空間であっても固体識別コードを適切に形成することができるため、加工性の面でも有利である。【００３９】
電子写真感光体２における基体２０は、その軸方向の端部にインロー部２０ａを有している。また、固体識別コード２０ｂは、インロー部２０ａに位置している。したがって、電子写真感光体２は、基体２０の端部から行われる個体識別コード２０ｂの識別可能範囲を広げ個体識別コード２０ｂの識別性を高めるうえで好適である。なお、電子写真感光体２では、レーザ加工により基体２０のインロー部２０ａに個体識別コード２０ｂが形成されているので、基体２０の軸方向中央部に比べて厚さの薄いインロー部２０ａにおいても基体２０の変形が充分に抑制されている。【００４０】
電子写真感光体２における個体識別コード２０ｂは、センサ検知部２０ｂａ（バーコード）および視覚識別部２０ｂｂ（文字数字列）を有している。そのため、電子写真感光体２では、光センサ搭載装置の使用および目視の両方で識別することができる。したがって、電子写真感光体２では、光センサ搭載装置の使用または目視の一方により主として検査を行い、他方を該検査の補完として行うことにより、個体識別管理の確実性をより高めることができる。【００４１】
また、電子写真感光体２における個体識別コード２０ｂは、複数のバーからなるバーコードを含むセンサ検知部２０ｂａを有しており、このバーコードを構成する複数のバーが基体２０の軸方向に配列している。そのため電子写真感光体２では、円筒状の基体２０の湾曲状態がバーコードの識別に影響を与えるのを充分に低減することができ、ひいては個体識別コード２０ｂの識別精度を高めることができる。したがって、電子写真感光体２は、より適切な個体識別管理を行ううえで好適である。【００４２】
本実施形態に係る画像形成装置１は、電子写真感光体２を備えている。つまり、画像形成装置１は、より適切に固体識別管理された電子写真感光体２を採用している。したがって、画像形成装置１では、より適切な画像形成条件の調整を図ることができるため、より適切な印刷を行うことができる。【００４３】
次に、電子写真感光体２の製造方法について、添付図面を参照しつつ具体的に説明する。【００４４】
まず、図４（ａ）に示すインロー部２０ａを有する基体２０を準備する。【００４５】
次に、基体２０に該基体２０の固体識別情報を示す固体識別コード２０ｂを形成する。具体的には、基体２０のインロー部２０ａにおける内周面２０ｃに対して、基体２０の端部側からレーザ光Ｌを照射するレーザ加工により所望の固体識別コード２０ｂを形成する。なお、レーザ加工は、図４（ｂ）に示すように、レーザ発振器２２を用いて基体２０の端部側からレーザ光Ｌを照射する方法に代えて、光ファイバなどの導光部材を用いて加工対象箇所の近傍からレーザ光を照射するようにしてもよい。このような方法によると、例えば基体２０の内径が小さい場合あるいは加工対象箇所が基体２０の両端から遠い場合でも、適切にレーザ加工を施すことができる。【００４６】
次に、固体識別コード２０ｂが形成された基体２０の外周面２０ｄに対して鏡面加工を施す。本実施形態における鏡面加工は、図４（ｃ）に示すように、切削バイト２３を有する超精密旋盤（図示せず）を用いて基体２０の外周面２０ｄを切削することによって行われる。具体的には、基体２０の切削対象面に切削油を塗布した後、基体２０をその周方向に回転させながら切削バイト２３を矢印B方向に移動させることによって基体２０の外周面２０ｄの切削を行う。【００４７】
次に、鏡面加工に用いた切削油および切削により発生する切り屑などの汚れを除去すべく、鏡面加工が施された基体２０を洗浄する。具体的には、洗浄液中に鏡面加工が施された基体２０を浸漬した後、該洗浄液に超音波の印加することにより行う。洗浄液としては、例えば水系洗剤と、石油系洗剤と、アルコール系洗浄剤と、塩素系溶剤とが挙げられる。【００４８】
次に、洗浄された基体２０の外周面２０ｄ上に成膜層２１を形成する。具体的には、周知のプラズマＣＶＤ法により基体２０の外周面２０ｄ上に光導電層２１１および表面層２１２を順次積層形成する。【００４９】
以上のようにして、図２に示す電子写真感光体２が形成される。【００５０】
本実施形態に係る電子写真感光体２の製造方法では、基体２０の内周面２０ｃ自体に個体識別コード２０ｂが形成される。したがって、本実施形態に係る方法により製造される電子写真感光体２は、上述の本実施形態に係る電子写真感光体２と同様の効果を奏する。【００５１】
本実施形態に係る電子写真感光体２の製造方法では、固体識別コード２０ｂが形成された基体２０の外周面２０ｄに対して鏡面加工を施している。そのため、本製造方法では、基体２０の外周面２０ｄ上に成膜層２１を形成する際に、固体識別コード２０ｂの形成時に生じる基体２０の形状変化が影響するのをより抑制することができる。したがって、本実施形態に係る方法により製造される電子写真感光体２では、基体２０の内周面２０ｃ自体に個体識別コード２０ｂを形成しても、印刷に対して与える影響をより小さいものとすることができる。【００５２】
以上、本発明の具体的な実施形態を示したが、本発明はこれに限定されるものではなく、発明の思想から逸脱しない範囲内で種々の変更が可能である。【００５３】
電子写真感光体２における固体識別コード２０ｂは、基体２０の内周面２０ｃにおけるインロー部２０ａに形成されているが、これには限られず、基体２０の内周面２０ｃにおけるインロー部２０ａ以外の部位（例えば軸方向中央部）に形成されてもよい。また、固体識別コード２０ｂの形成箇所に対して、その形成前に表面加工（例えば切削加工および研磨加工）を行ってもよい。このように、固体識別コード２０ｂの形成前にその形成箇所に対して表面加工を施すと、例えば光センサを用いてセンサ検知部２０ｂａとその周囲とを区別する際に、その表面形状に起因する識別の誤りが発生するのを抑制するうえで好適である。【００５４】
電子写真感光体２における固体識別コード２０ｂは、センサ検知部２０ｂａと視覚検知部２０ｂｂとの両方を含んで構成されているが、これには限られず、センサ検知部２０ｂａおよび視覚検知部２０ｂｂのいずれか一方のみにより構成してもよい。【００５５】
電子写真感光体２における基体２０は、その外周面２０ｄにおける算術平均高さＲａ（ＪＩＳ規格Ｂ０６０１：２００１に準拠して測定）が０．０５μｍ以下とするのが好ましい。このような構成によると、成膜層２１を形成する際に異常成長が発生するのを抑制することができるため、平滑性を高めるうえで好適である。【００５６】
電子写真感光体２における基体２０では、その内周面２０ｃにおける固体識別コード２０ｂの存在領域に、酸化クロムと、酸化鉄と、酸化マンガンとからなる群より選択される少なくとも一つの材料が存在するようにしてもよい。このような構成によると、固体識別コード２０ｂの存在領域をそれ以外の領域と異なる色合い（例えば黒色）にすることができるため、個体識別コードの識別性を高めるうえで好適である。【００５７】
本実施形態に係る電子写真感光体２の製造方法では、固体識別コード２０ｂが形成された後で基体２０の外周面２０ｄの鏡面加工が行われているが、これには限られず、予め外周面２０ｄに鏡面加工が施された基体２０に対して固体識別コード２０ｂを形成してもよい。
【図面の簡単な説明】
【００５８】
【図１】本発明の実施形態に係る画像形成装置の概略構成を表す図である。
【図２Ａ】本発明の実施形態に係る電子写真感光体の概略構成を表す斜視図である。
【図２Ｂ】図２ＡにおけるＩＩｂ−ＩＩｂ線に沿った断面図である。
【図３Ａ】図２Ａに示す電子写真感光体を構成する基体の概略構成を表す斜視図である。
【図３Ｂ】図３ＡにおけるＩＩＩｂ−ＩＩＩｂ線に沿った断面図である。
【図４Ａ】図２に示す電子写真感光体を製造する工程を表す説明図である。
【図４Ｂ】図４Ａの続きの工程を表す説明図である。
【図４Ｃ】図４Ｂの続きの工程を表す説明図である。
【符号の説明】
【００５９】
１    画像形成装置
２    電子写真感光体
２０    基体
２１    成膜層
２１１    光導電層（感光層）
２１２    表面層
２２    レーザ発振器
２３    切削バイト
３    帯電装置
４    露光装置
５    現像装置
５０    現像スリーブ
６    転写装置
６０    転写用チャージャ
６１    分離用チャージヤ
７    定着装置
７０，７１    ローラ
８    クリーニング装置
８０    クリーニングブレード
９    除電装置
Ｐ    記録紙
【図１】
2008078783.tif 000003
【図２Ａ】
2008078783.tif 000004
【図２Ｂ】
2008078783.tif 000005
【図３Ａ】
2008078783.tif 000006
【図３Ｂ】
2008078783.tif 000007
【図４Ａ】
2008078783.tif 000008
【図４Ｂ】
2008078783.tif 000009
【図４Ｃ】
2008078783.tif 000010
【手続補正書】
【提出日】平成20年8月8日(2008.8.8)
【手続補正１】
【補正対象書類名】特許請求の範囲
【補正対象項目名】全文
【補正方法】変更
【補正の内容】
【特許請求の範囲】
【請求項１】
筒状で且つその内周部に固体識別コードを有する基体と、前記基体の外周面上に形成される感光層と、を有し、
前記基体の内周面における前記固体識別コードの存在領域には、酸化クロムと、酸化鉄と、酸化マンガンとからなる群より選択される少なくとも一つの酸化物が存在することを特徴とする、電子写真感光体。
【請求項２】
前記個体識別コードは、レーザ加工により形成されている、請求項１に記載の電子写真感光体。
【請求項３】
前記基体は、その軸方向の端部にインロー部を有する、請求項１に記載の電子写真感光体。
【請求項４】
前記個体識別コードは、前記インロー部に位置する、請求項３に記載の電子写真感光体。
【請求項５】
前記個体識別コードは、光センサにより検知されるセンサ検知部と、視覚により識別される視覚識別部とを有する、請求項１に記載の電子写真感光体。
【請求項６】
前記個体識別コードは、バーコードを含むセンサ検知部を有する、請求項１に記載の電子写真感光体。
【請求項７】
前記バーコードを構成する複数のバーは、前記基体の軸方向に配列している、請求項６に記載の電子写真感光体。
【請求項８】
前記基体は、アルミニウムおよび鉄の少なくとも一方を主として含む金属または合金からなる、請求項１に記載の電子写真感光体。
【請求項９】
筒状の基体の内周部に個体識別コードを形成するコード形成工程と、前記コード形成工程を経た前記基体の外周面上に感光層を形成する感光層形成工程と、を含むことを特徴とする、電子写真感光体の製造方法。
【請求項１０】
前記コード形成工程を経た前記基体の前記外周面を鏡面化する鏡面加工工程を更に含む、請求項９に記載の電子写真感光体の製造方法。
【請求項１１】
請求項１に記載の電子写真感光体を備えることを特徴とする、画像形成装置。
【手続補正２】
【補正対象書類名】明細書
【補正対象項目名】０００７
【補正方法】変更
【補正の内容】
【０００７】
本発明の一つの観点によれば、電子写真感光体は、基体と感光層とを有する。基体は、筒状で且つその内周部に固体識別コードを有する。感光層は、基体の外周面上にある。基体の内周面における固体識別コードの存在領域には、酸化クロムと、酸化鉄と、酸化マンガンとからなる群より選択される少なくとも一つの酸化物が存在する。
【国際調査報告】
2008078783.tif 000011
2008078783.tif 000012
2008078783.tif 000013
2008078783.tif 000014